(57)【要約】【課題】ＰＶＣおよびＳＰＶＣリソースを効率的に使用する方法を提供する。【解決手段】マルチサービスネットワークにおいて、本発明によるＩＰトラフィックなどのレイヤ２トラフィックは、ＡＴＭ  ＳＶＣまたはＳＰＶＣにわたって搬送される。ＰＮＮＩプロトコルを使用するそのような接続を設定する方法も議論される。標準ＡＴＭ  ＳＰＶＣ／ＳＶＣ信号送信メッセージに対する強化を使用して、ネットワークの反対側エンドのマルチサービススイッチでのレイヤ３ＩＰ経路指定プロセスは、トラフィックが、下にあるレイヤ２仮想接続を介してトランスペアレントに流れることを可能にする。これは、ＡＴＭネットワークを横切ってＩＰパケットを運ぶ簡単で効率的な方法を提供する。【選択図】      図４
2004320783.tif 000002
【特許請求の範囲】
【請求項１】
通信システムにおいて接続を確立する方法であって、前記通信システムが、第１のマルチサービスネットワークノードにおけるレイヤ３転送能力を有する第１のエンドポイントを有し、前記方法が、
ａ）前記通信システムに、第２のマルチサービスネットワークノードを有する第２のエンドポイントを確立するステップを含み、
ｂ）前記第１のマルチサービスネットワークノードと前記第２のマルチサービスネットワークノードとの間に任意の介在するネットワークノードを介して接続を確立するステップを含み、
それによって、前記第１のエンドポイントは、アドレス情報が割り当てられ、前記アドレス情報は、前記第１のマルチサービスネットワークノードの転送情報に追加される、方法。
【請求項２】
前記第２のエンドポイントが、発信ネットワークノードにある請求項１に記載の方法。
【請求項３】
前記接続を確立するための要求が、前記発信ネットワークノードから前記第１のマルチサービスネットワークノードへ送られる請求項２に記載の方法。
【請求項４】
前記要求が、前記発信ノードからの信号送信メッセージを使用する前記第１のネットワークノードへ送られる請求項３に記載の方法。
【請求項５】
前記転送情報が、ＩＰ転送情報である請求項１に記載の方法。
【請求項６】
前記転送情報が、ＭＰＬＳ転送情報である請求項１に記載の方法。
【請求項７】
前記信号送信手順が、接続を確立するために信号送信メッセージのタイプの設定を使用する請求項１に記載の方法。
【請求項８】
信号送信手順が、接続を確立するために信号送信メッセージの接続タイプを使用する請求項１に記載の方法。
【請求項９】
信号送信手順が、信号送信メッセージの接続修正タイプを使用する請求項１に記載の方法。
【請求項１０】
各エンドポイントが、ネットワーク管理システムによって構成される請求項１に記載の方法。
【請求項１１】
第１のマルチサービスネットワークノードにおけるレイヤ３ＩＰ転送を行う第１のエンドポイントを有する接続を確立する方法であって、
ａ）発信ネットワークノードでの接続の第２のエンドポイントを確立するステップと、
ｂ）前記発信ネットワークノードから前記第１のマルチサービスネットワークノードへ、前記接続の確立要求を送るステップと、
ｃ）前記発信ネットワークノードと前記第１のマルチサービスネットワークノードとの間の選択された経路にある任意の介在するネットワークノードを介する接続を自動的に経路指定するステップと、
ｄ）前記第１のマルチサービスネットワークノードで前記要求を受信するステップと、
ｅ）前記第１のマルチサービスネットワークノードでの前記第１のエンドポイントを確立するステップとを含み、それによって、前記第１のエンドポイントは、転送情報が割り当てられ、該転送情報は、前記第１のマルチサービスネットワークノードの転送情報に追加される方法。
【請求項１２】
前記転送情報が、ＩＰ転送情報である請求項１１に記載の方法。
【請求項１３】
前記転送情報が、ＭＰＬＳ転送情報である請求項１１に記載の方法。
【請求項１４】
前記第２のエンドポイントは、自身の転送情報が割り当てられ、前記情報が、ＩＰ転送情報である請求項１１に記載の方法。
【請求項１５】
前記第２のエンドポイントは、自身の転送情報が割り当てられ、前記情報は、ＭＰＬＳ転送情報である請求項１１に記載の方法。
【請求項１６】
前記発信ネットワークノードから到達可能である第２のＩＰアドレスが、前記第１のマルチサービスネットワークノードに提供され、そのＩＰ転送テーブルは、前記第２のＩＰアドレスが前記第１のエンドポイントから到達可能であることを示すように更新される請求項１１に記載の方法。
【請求項１７】
情報が、設定タイプの信号送信メッセージに含まれる請求項１１に記載の方法。
【請求項１８】
情報が、接続タイプの信号送信メッセージに含まれる請求項１１に記載の方法。
【請求項１９】
情報が、修正された接続タイプの信号送信メッセージに含まれる請求項１１に記載の方法。
【請求項２０】
情報が、到達可能性タイプの信号送信メッセージに含まれる請求項１１に記載の方法。
【請求項２１】
前記信号送信手順が、ＢＧＰ、ＯＳＰＦ、またはＩＳＩＳによって使用されるＩＰ経路指定プロトコル情報を伝播する請求項１１に記載の方法。
【請求項２２】
前記第２のエンドポイントは、前記第２のマルチサービススイッチの転送情報が割り当てられる請求項１１に記載の方法。
【請求項２３】
前記転送情報が、ＩＰ転送情報である請求項２２に記載の方法。
【請求項２４】
前記転送情報が、ＭＰＬＳ転送情報である請求項２２に記載の方法。
【請求項２５】
前記第２のＩＰアドレスが、ステップｂ）で送られた要求に含まれる請求項１１に記載の方法。
【請求項２６】
前記第２のＩＰアドレスが、別個のステップで提供される請求項１１に記載の方法。
【請求項２７】
前記接続の自動的な経路指定が、ＡＴＭ信号送信プロトコルに従って行われる請求項１１に記載の方法。
【請求項２８】
前記ＡＴＭ信号送信プロトコルが、ＰＮＮＩ、ＡＩＮＩ、ＵＮＩ、およびＩＩＳＰのうちの１つである請求項２７に記載の方法。
【請求項２９】
前記経路指定された接続が、スイッチドバーチャルコネクション（ＳＶＣ）である請求項１１に記載の方法。
【請求項３０】
前記経路指定された接続が、ソフトパーマネントバーチャルコネクション（ＳＰＶＣ）である請求項１１に記載の方法。
【請求項３１】
前記発信ネットワークノードが、第２のマルチサービスネットワークノードである請求項１１に記載の方法。
【請求項３２】
ステップｅ）が、前記第２のエンドポイントに対して第３のＩＰアドレスを割り当てることと、発信ネットワークノードにおけるＩＰ転送テーブルに前記第３のＩＰアドレスを追加し、かつ前記第３のＩＰアドレスが前記第２のエンドポイントから到達可能であることを示すように、前記ＩＰ転送テーブルを更新することとを含む請求項３１に記載の方法。
【発明の詳細な説明】
【技術分野】
【０００１】
本発明は、マルチサービススイッチングアーキテクチャを使用するデジタル通信に関し、より詳細には、ＳＶＣまたはＳＰＶＣにわたるレイヤ３（ｌａｙｅｒ−３、Ｌ３）ＩＰトラフィックを搬送し、かつＡＴＭ信号送信プロトコルを用いるこれらの接続を設定するシステムおよび方法に関する。
【背景技術】
【０００２】
デジタル通信ネットワークにおける従来技術のスイッチングアーキテクチャは、一般にデータリンク（レイヤ２）サービスを用いる。ＡＴＭパケットスイッチング技術は、ＡＴＭネットワークを介するエンドツーエンド通信を完成するために仮想接続を使用する。仮想接続のタイプは、パーマネントバーチャルコネクション（ｐｅｒｍａｎｅｎｔ  ｖｉｒｔｕａｌ  ｃｏｎｎｅｃｔｉｏｎ，ＰＶＣ）、スイッチドバーチャルコネクション（ｓｗｉｔｃｈｅｄ  ｖｉｒｔｕａｌ  ｃｏｎｎｅｃｔｉｏｎ，ＳＶＣ）、またはソフトパーマネントバーチャルコネクション（ｓｏｆｔ  ｐｅｒｍａｎｅｎｔ  ｖｉｒｔｕａｌ  ｃｏｎｎｅｃｔｉｏｎ，ＳＰＶＣ）を含む。ネットワークを介するＳＶＣのトランスポートパケットおよび各パケットは、経路指定情報およびアドレス指定情報を含む。これらのパケットは、他のメッセージからのパケットとともに所定の経路を共有するネットワークを通過する。永続する仮想回路は、端末が、仮想回路を介して永続して結合される回路である。ＳＰＶＣは、ネットワークの縁部からエンドユーザへのＰＶＣタイプの接続、およびネットワーク内のＳＶＣタイプのスイッチングを用いる。
【０００３】
図１は、ＳＰＶＣ１２を示し、ＳＰＶＣ１２は、ユーザトラフィックが、従来技術によるＡＴＭネットワーク１７を介する２つのＡＴＭスイッチ１４および１６間を流れることを可能にする。ＳＰＶＣ１２は、ネットワークの縁部で、２つのエンドポイント１８および２０（それぞれ、図において黒いドットで示される）を有する。各ＳＰＶＣエンドポイントは、それぞれのＡＴＭスイッチからＣＰＥへの直接の接続可能性を提供するポートで終端する。ソースノードの観点（スイッチ１４）から、エンドポイント１８は、ＳＰＶＣ１２がノードを離れる出口ポート２２に内部で交差接続１５される。宛て先ノードの観点（スイッチ１６）から、エンドポイント２０は、ＳＰＶＣ１２呼がノードに入る入口ポート２４に内部で交差接続１９される。ＳＰＶＣ１２の残りは、ＡＴＭネットワーククラウド１７を介する破線として示される。ＳＰＶＣは、ＰＮＮＩ（私的ネットワークネットワークインタフェース）プロトコルなどのＡＴＭ信号送信プロトコルを使用して、ＡＴＭスイッチ間で設定される。
【０００４】
図２は、従来技術による例示的なＤＳＬ（デジタル加入者ライン）アプリケーションを示す。この例において、エンドユーザのコンピュータ３２は、ＡＴＭスイッチ４５、ＡＴＭネットワーク３４、および結合される機器を介して、３つの別個のＩＰサービスに接続される。これらの別個のサービスは、ゲームサーバ３６によって提供されるネットワークゲーム、アプリケーションサーバ３８を介して提供されるビデオオンデマンド、およびブロードバンド遠隔アクセスサーバ（ＢＲＡＳ）４０を介して提供されるインターネットアクセスである。専用のＳＰＶＣ接続（ＳＰＶＣ１、ＳＰＶＣ２、およびＳＰＶＣ３）が、これらの各サービスに関して存在する。各ＳＰＶＣ接続は、ＤＳＬアクセスマルチプレクサ（ＤＳＬＡＭ）４２の入口ポートでのエンドポイント、およびファーエンドＡＴＭスイッチ５０のＩＰインタフェースでの他のエンドポイントを有する。ファーエンドＡＴＭスイッチ５０において、各ＳＰＶＣは、その結合されたＩＰインタフェースをスイッチの入口ポート５２に接続する内部相互接続を有する。ユーザのコンピュータ３２は、ＣＰＥモデム４３を介してＤＳＬＡＭ４２に接続される。各ＳＰＶＣに関して、ユーザのコンピュータとＣＰＥモデムの出口ポートとの間にＰＶＣ接続が存在する。それぞれ対応するＳＰＶＣおよびＰＶＣ対は、ＣＰＥモデムとＤＳＬＡＭとの間に接続を作るように、同じＶＰＩ／ＶＣＩ（仮想経路識別子／仮想回路識別子）を共有する。
【０００５】
図３は、ＳＰＶＣが使用される、図１と実質的に同一の従来技術のＳＶＣアプリケーションを示す。接続は、スイッチ７２に接続されるＣＰＥ７０から始まり、スイッチ７６に接続されるＩＳＰサーバ７４で終端する。ＳＶＣ７８は、ＡＴＭネットワーク８０を通る点線として示されている。スイッチ７２および７６は、それぞれ内部交差接続７３および７７を有する。
【０００６】
従来技術の問題、特に図２に示される例示的なアプリケーションに関する問題は、多数のＰＶＣおよびＳＰＶＣ接続をまねくことである。ＰＶＣおよびＳＰＶＣリソースは制限されており、したがって可能な限り効率的にこれらのリソースを使用することが望ましい。実際、問題がＣＰＥモデムにおけるＰＶＣ制限に達することがあった。さらに、多数のユーザ、およびユーザが加入するサービスが、非常に多数のそのようなアプリケーションにおいて成長したので、ネットワークノードにおけるＳＰＶＣの制限が、問題になっている。さらに、当該接続の設定および維持において、例えばネットワーク障害に応答して、既存の接続を有効に使用することによって、接続の全数を最小にすることが望ましい。
【０００７】
図３に示される従来技術が有する他の問題は、ＳＶＣが、ＣＰＥ装置間の単一の接続に対する接続性だけを提供することである。複数のサービスが、同一のノードで異なるＣＰＥ機器（恐らく異なるＩＰアドレスを有する）から要求されるなら、複数のＳＶＣは、単一のＳＶＣが十分であることができるときに、ソースＣＰＥから要求される。
【発明の開示】
【発明が解決しようとする課題】
【０００８】
本発明は、ＰＮＮＩプロトコルなどのＡＴＭ信号送信プロトコルを使用し、かつＡＴＭネットワークを介して仮想ＩＰリンクを動的に確立するようにＳＶＣまたはＳＰＶＣ信号送信メッセージを強化して、ＡＴＭネットワーククラウドにわたるレイヤ３トラフィック（例えばＩＰトラフィック）を搬送する新たな解決方法を記載する。他のＡＴＭ信号送信プロトコルは、ＡＩＮＩ、ＵＮＩ、およびＩＩＳＰを含む。
【課題を解決するための手段】
【０００９】
本発明の第１の態様によれば、通信システムにおいて接続を確立する方法が提供され、システムは、第１のマルチサービスネットワークノードにおけるレイヤ３転送能力を有する第１のエンドポイントを有し、方法は、
ａ）システムに、第２のマルチサービスネットワークノードを有する第２のエンドポイントを確立するステップを含み、
ｂ）第１のマルチサービスネットワークノードと第２のマルチサービスネットワークノードとの間に任意の介在するネットワークノードを介して接続を確立するステップを含み、
それによって、第１のエンドポイントは、アドレス情報が割り当てられ、アドレス情報は、第１のマルチサービスネットワークノードの転送情報に追加される。
【００１０】
本発明は、添付図面を参照してより詳細に記載される。
【発明を実施するための最良の形態】
【００１１】
本発明の目的は、ソースでのスイッチで実行される独立した経路指定プロセスと、それらの間の経路指定情報の直接交換を可能にするなどのネットワークの宛て先との間の接続可能性を確立し、かつそれらに結合されるサブネット間の到達可能性を確立することである。最も重要な接続可能性は、時間によって接続可能性が確立されるようなトランスペアレントな方法で、下にあるＬ２ＡＴＭネットワークを横切って提供されることであり、スイッチは、Ｌ２仮想接続の経路に沿った中間ＡＴＭスイッチの数に関わらず、互いに次のホップルータとして仮定される。
【００１２】
本発明は、標準ＡＴＭ  ＳＰＶＣ／ＳＶＣ信号送信メッセージ（以降、場合によって、Ｌ３−ＳＰＶＣ信号送信またはＬ３−ＳＶＣと称される）に対してある強化を導入し、第２のマルチサービススイッチでのＬ３ＩＰ経路指定プロセスが、第２のマルチサービススイッチでの他のＬ３ＩＰ経路指定プロセスとのピア関係を確立し、かつ経路指定情報を交換することを可能にし、ならびに下にあるレイヤ２仮想接続を介してトランスペアレントに流すことを可能にする。両方のスイッチでの経路指定プロセスに対して、仮想接続のエンドポイント（それによって、Ｌ３−ＳＰＶＣエンドポイントとして称される）は、ＩＰフローが通ることができる他のＩＰインタフェース（仮想ＩＰインタフェース）のように処理される。
【００１３】
下にあるＡＴＭネットワークを介するピア関係を確立する能力は、本発明に関する多数の適用可能なシナリオを作る。それらのいくつかは、以下の通りである。
１．公共（ｐｕｂｌｉｃ）の観点では、サブネットが、公共サービス、例えばインターネットアクセスを提供する公共ネットワークに接続することを可能にする。
２．私的（ｐｒｉｖａｔｅ）な観点では、サブネットが、仮想私的ネットワーク（ＶＰＮ）に結合することを可能にし、ＶＰＮに含まれる第２のサブネットと通信することを可能にする。
３．半私的（ｓｅｍｉ−ｐｒｉｖａｔｅ）な観点では、ＶＰＮに含まれるサブネットと、第２のＶＰＮ（すなわちエキストラネット）に含まれる第２のサブネットとの間の到達可能性を提供する。
【００１４】
通常のＩＰ経路指定の観点では、スイッチでの経路指定プロセス間のピア関係の確立は、各エンドポイントが他方のＩＰアドレスを仮定するように適切なＩＰアドレスを有するように構成されたもうひとつのＩＰインタフェースが、次のホップインタフェースであるように、経路指定プロセスが、Ｌ３−ＳＰＶＣエンドポイントに取り計らう必要がある。両方のスイッチでの経路指定プロセスは、次にその（仮想ＩＰ）インタフェースを介する経路指定情報を交換する。両方のエンド（Ｌ２ＶＣを介して）でのこれらの２つの仮想ＩＰインタフェース間に必要な接続可能性を確立するために、ネットワーク管理システムは、信号送信プロセスを開始するようにＬ３−ＳＰＶＣエンドポイントのいずれかを構成するように使用されることができる。Ｌ３−ＳＰＶＣ信号送信メッセージは、標準のＳＰＶＣ信号送信メッセージにおいて搬送される情報要素（ＩＥ）に対する所定の拡張（または追加）を必要とする。したがって、標準のＳＰＶＣメッセージに対する必要な拡張およびそれらのメッセージの方法は、本発明の重要な態様を示すＬ３−ＳＰＶＣ接続の両方のエンドで処理される。
【００１５】
関連するＬ３−ＳＰＶＣ信号送信メッセージにおいて必要な追加のＩＥは、以下の任意の組み合わせを含むことができる。
・発信側の仮想ＩＰインタフェースのＩＰアドレス
・終端側の仮想ＩＰインタフェースのＩＰアドレス
・発信ノードのＬ３−ＳＰＶＣエンドポイント識別子
・終端ノードのＬ３−ＳＰＶＣエンドポイント識別子
・発信ノードの経路指定プロセスｉｄ
・終端ノードの経路指定プロセスｉｄ
・他の静的に構成されたＩＰアドレス情報
【００１６】
Ｌ３−ＳＰＶＣの設定の間に交換される信号送信メッセージに含まれることができる他の任意のＩＥは、以下を含むがこれらに限定されない。
・ＶＰＮアドレス
・確証および認証に関する信用情報
・ＩＰ経路指定プロトコルおよびポリシーとのネゴシエーションに関するパラメータ
・交換可能性の情報
・転送テーブル識別子
【００１７】
Ｌ３−ＳＰＶＣ信号送信プロセスの詳細の特定の実装は、どの情報が、図４に示されるように管理ステーション１３０から各マルチサービススイッチに対して利用可能であるか、および追加のメッセージのどの組み合わせが、信号送信プロセスの間に交換される必要があるかを決定することに留意しなければならない。例えば、特定の実装シナリオは、適切なＩＰアドレスを有するＬ３−ＳＰＶＣの両方のエンドポイントを事前構成でき、次に、発信仮想ＩＰインタフェースのＩＰアドレスと、設定メッセージ内の宛て先仮想ＩＰインタフェースのＩＰアドレスだけを含む、信号送信を開始するＬ３−ＳＰＶＣエンドポイントの１つのエンドを有することができる。終端ノード側で、Ｌ３−ＳＰＶＣの確立は、次に、適切な仮想ＩＰインタフェースに対するＳＰＶＣエンドポイントのマッピング、したがって、ＩＰパケットの交換に関する下にあるＶＣを介してエンドツーエンド仮想ＩＰリンクを作る必要がある。
【００１８】
上述で示唆された追加のＩＥの任意の組み合わせには、サービスカテゴリ（ＣＢＲ、ｒｔＶＢＲ、ｎｒｔＶＢＲ、ＵＢＲ、またはＡＢＲ）、帯域幅、遅延、ジッタ、セル損失比などの接続に関するＬ２リソース特徴などのＳＰＶＣ信号送信メッセージで通常搬送される標準ＩＥに追加される。
【００１９】
経路指定プロセスの実装は、ネットワークが所定のＬ３−ＳＰＶＣ接続にマッピングされるべきフローを決定する、安全性ポリシー（例えば、アクセス制御リスト）などの経路指定ポリシーの構成を可能にすることも仮定される。経路指定で通常サポートされる暗黙の特徴は、同一の出発インタフェースの異なるインタフェースを介して入るフローをマルチプレックスすることを可能にする能力、および異なる出発インタフェースの到来インタフェースからの集められたフローなどをデマルチプレックスすることを可能にする能力である。仮想ＩＰインタフェースとしてのＬ３−ＳＰＶＣエンドポイント処理は、１−１マッピング、１−Ｎマッピング、Ｎ−１マッピング、およびＮ−Ｎマッピングなどのそのような経路指定ポリシーを完全にサポートする。さらに、Ｌ３−ＳＰＶＣは、保証されたＱｏＳ、転送テーブルに影響を与えないトランスペアレントで自動的な再経路指定能力、およびＡＴＭ層に割り当てられたリソースをオンザフライで修正できる能力などの追加の利点を提供する。
【００２０】
図４は、本発明による新規なタイプのＡＴＭ接続を示す。接続のタイプは、以降、Ｌ３−ＳＰＶＣと称される（または、場合によってはＬ３−ＳＶＣ）。このタイプの接続は、マルチサービス、特にＡＴＭ／ＩＰ、マルチサービススイッチング／経路指定プラットフォームの能力を使用する。接続は、そのエンドポイントの少なくとも１つが、以降Ｌ３転送エンドポイントと称されるものである点で、従来のＳＰＶＣ接続と異なる。そのようなエンドポイントは、「宛て先」マルチサービススイッチの入口ポートである（または、「ソーシング」マルチサービススイッチの出口ポートである）その位置によって、または割り当てられたまたは信号送信された１つまたは複数のＩＰアドレスを有することによって、またはその入口ポートと、そのスイッチの他の出口ポートでのＩＰインタフェースとの間でＩＰパケットを経路指定するＬ３ＩＰ転送のその使用によって特徴付けられる。図４は、ＡＴＭネットワーク１１４を介して２つのマルチサービススイッチを接続するＬ３−ＳＰＶＣ接続１０１を示す。図における接続は、２つのＬ３転送エンドポイントを有する。図４において、マルチサービススイッチ１０２は、出口ポート１０６でのＳＰＶＣエンドポイント１０４、および入口ポート１１０でのＩＰインタフェース１０８を有する。図４において、参照符号１０５は、ＩＰインタフェース１０８からエンドポイント１０４への、およびその逆のマルチサービススイッチファブリックを横切るＩＰパケットを転送する能力を示す。実際、マルチサービススイッチングファブリックを介してＬ３エンドポイント１０４に向かう、およびその逆にパケットを転送できるＩＰインタフェース１０８などがマルチプレックスされることができる。同様に、ＡＴＭネットワーク１１４の反対側でのマルチサービススイッチ１１２は、入口ポート１１８でのＳＰＶＣエンドポイント１１６、および出口ポート１２２でのＩＰインタフェース１２０を有する。図４の参照符号１２４は、また、マルチサービススイッチ１１２を横切るＩＰパケットを転送する能力を示す。本発明のさらなる実施形態において、スイッチ１０２またはスイッチ１１２は、Ｌ３ＩＰ転送機能を有し、他は有していないことが分かる。
【００２１】
図５は、可能なＤＳＬサービスの例示的なアプリケーションとして、図２で示される同じ概念を示す。しかしながら、この場合、Ｌ３−ＳＰＶＣ接続が代わりに使用される。Ｌ３−ＳＰＶＣが、前の例における各ＩＰインタフェースに対する専用のＳＰＶＣと置き換わり、それによって、ネットワーク内およびスイッチの接続数を低減する。Ｌ３−ＳＰＶＣは、ＩＰサービスに関する組み合わされたトラフィックを搬送するために使用され、したがって、ネットワークおよびスイッチの接続リソースが、より効率的に使用される。
【００２２】
図５に示されるように、ＤＳＬアプリケーションにおけるＬ３−ＳＰＶＣは、ＡＴＭネットワーク２０６の反対側エンドでのマルチサービススイッチ２０２および２０４を有する。図５において、スイッチ２０４だけが、Ｌ３ＩＰ転送を備えているが、両方のスイッチがこの機能を有することができることが理解される。また、図５は、Ｌ３−３ＰＶＣ接続を示すが、アプリケーションは、Ｌ３ＳＶＣ接続を有することもできる。Ｌ３ＩＰ転送機能は、ＳＰＶＣエンドポイント２０８が、ＩＰインタフェースを介して別個のアプリケーション２１０、２１２、２１４と独立して通信することを可能にする。ユーザエンドで、スイッチ２０２は、ＤＳＬＡＭ２１６およびＣＰＥモデム２１８を介して複数のワークステーションに接続される。ＬＡＮでのいくつかのコンピュータは、Ｌ３−ＳＰＶＣを介してＩＰサービスへ接続される。したがって、Ｌ３−ＳＰＶＣ設定要求は、コンピュータのＩＰアドレスを含み、ファーエンドＡＴＭスイッチでのＩＰ転送テーブルは、Ｌ３−ＳＰＶＣ接続がなされたときに、これらアドレスで更新される。
【００２３】
Ｌ３−ＳＰＶＣ接続は、２つの方法で確立されることができる。すなわち、
１）適切なＩＰアドレス指定情報を用いて、宛て先および／またはソーススイッチでＬ３−ＳＰＶＣエンドポイントを構成することによって、または
２）新たなタイプの接続要求、すなわちユーザのコンピュータまたは他の装置のＩＰアドレス指定情報を含むＬ３−ＳＰＶＣ設定要求に応答して、Ｌ３−ＳＰＶＣを設定することによってである。ＩＰアドレス情報が、動的に割り当てられる場合には、Ｌ３−ＳＰＶＣ設定要求は、動的に構成された情報を含んで開始されることができる。Ｌ３−ＳＰＶＣ接続が既に存在し、まだＩＰアドレス指定情報が変更されていないなら、この情報は、宛て先ノードに接続訂正要求で信号送信されることができ、Ｌ３転送情報は、接続を切断することなく修正される。
【００２４】
以下は、本発明によって示されるように、Ｌ３−ＳＰＶＣ（ＳＶＣ）によってサポートされる異なるタイプのメッセージを要約する。
・設定。このメッセージは、Ｌ３−ＳＰＶＣの初期的な設定の間に送信される。このタイプのメッセージは、同様に、このタイプの接続を構成するために必要な追加のＩＥを除いて、標準のＳＰＶＣ設定メッセージによってサポートされる。
・接続。このメッセージは、設定経路に沿ったＬ３−ＳＰＶＣリソースに関する成功した割り当ての通知のために使用される。これは、同様に、必要であれば追加のＩＥを除いて、標準のＳＰＶＣメッセージによってサポートされる。
・到達可能性。このメッセージは、到達可能性を示すために使用される。これは、本発明によって定義されるように、新たな信号送信メッセージである。
・包含。到達可能性メッセージは、現在到達可能なネットワークを示す。さらに、そのトラフィックが、既に存在するＬ３−ＳＰＶＣに集められている新規な追加されたネットワーク（またはインタフェース）は、Ｌ３−ＳＰＶＣの反対側エンドでの転送テーブルにそれを示すために、到達可能性メッセージを送信することを必要とすることがある。
・取消し。到達可能性メッセージは、もはや到達可能ではなく、転送テーブルから取り消されるべきネットワークを示す。結合される転送テーブルが、ネットワークリソースを保存するために、所定の期間の間にその転送テーブル内に到達可能なネットワークを有さないなら、Ｌ３−ＳＰＶＣは、自動的に破棄されることができる。
・このタイプのメッセージは、同様に、所望であれば、ＢＧＰ、ＯＳＰＦ、またはＩＳＩＳ経路指定情報を搬送するために使用されることができる。
・修正。このタイプのメッセージは、所定のＬ３−ＳＰＶＣに既に割り当てられたリソースの修正に関する要求のために使用される。修正メッセージのタイプは、新たなユーザが、追加されるかまたは取り消されるかに応じて、増大するかまたは低減されることを示すことができる。
【００２５】
例えば、ＡＴＭネットワーク内に専用のＩＰトンネルを提供するために、ネットワークのコア内のノード間の接続においてＬ３−ＳＰＶＣおよびＬ３−ＳＶＣが使用されることができる多くの他のアプリケーションがある。この概念は、コア内で実装されるＭＰＬＳを有するネットワーク内でのＭＰＬＳ  ＬＳＰ（ラベルスイッチングされる経路）と類似している。
【００２６】
一般に、本発明は、マルチサービススイッチが、Ｌ２ＳＰＶＣおよびＳＶＣ接続を横切るＬ３ＩＰ転送能力を提供することを可能にするツールを提供する。
【００２７】
本発明は、ＡＴＭネットワークを横切るＩＰパケットを運ぶより簡単な方法を提供する。
【００２８】
本発明は、ネットワークおよびＤＳＬモデムなどのＣＰＥ機器における接続リソースのより有効な使用を提供する。これは、より容易に提供し、スケーラビリティを改善し、かつサービスアプリケーションが接続リソースの制約をあまり受けないようにする。
【００２９】
本発明は、接続が切断されかつ再確立される必要なく、接続におけるＬ３ＩＰ転送情報を変更する能力を提供する。
【００３０】
本発明は、既存のネットワークにおけるＡＴＭ接続を用いて現在利用可能である固有のＱＯＳ機能および能力のために、ＱｏＳを必要とする他の技術に対して同等の代替形態を提供する。
【００３１】
Ｌ３−ＳＶＣおよびＬ３−ＳＰＶＣ信号送信情報を扱うために、現在の信号送信仕様に対するわずかな変更で、ＳＶＣおよびＳＰＶＣ接続は、マルチサービススイッチに、ＳＶＣまたはＳＰＶＣを使用する全ての利点を含むＶＣに対する転送ＩＰパケットへの能力を提供するように強化されることができる。このように、ＩＰ情報フローに関する優れたＱＯＳを提供する。ＩＰに関連するＱｏＳの関心事は、現在幅広い注目を受けるので、これらの問題を解消する代わりの解決方法は、幅広い関心および適用可能性を有することができる。
【００３２】
本発明の特定の実施形態が、記載されかつ示されたが、多くの変更が、本発明の基本的な概念から逸脱することなくなされることができることは、当業者には明らかであろう。しかしながら、そのような変更は、請求項によって規定されるように完全に本発明の範囲内であることは理解される。
【図面の簡単な説明】
【００３３】
【図１】ＳＰＶＣ接続を搬送する従来技術のＡＴＭネットワークを示す。
【図２】従来技術のＤＳＬサービスアプリケーションを示す。
【図３】従来技術のＳＶＣアプリケーションを示す。
【図４】本発明によるレイヤ３ＳＰＶＣアプリケーションを示す。
【図５】本発明によるＤＳＬアプリケーションにおけるレイヤ３ＳＰＶＣを示す。
【符号の説明】
【００３４】
１２  ＳＰＶＣ
１４、１６、４５、５０  ＡＴＭスイッチ
１５、１９、７３、７７  交差接続
１７、３４、８０、１１４、２０６  ＡＴＭネットワーク
１８、２０  エンドポイント
２２、１０６、１２２  出口ポート
２４、５２、１１０、１１８  入口ポート
３２  コンピュータ
３６  ゲームサーバ
３８  アプリケーションサーバ
４０  ブロードバンド遠隔アクセスサーバ
４２、２１６  ＤＳＬアクセスマルチプレクサ
４３、２１８  ＣＰＥモデム
７２、７６  スイッチ
７０  ＣＰＥ
７４  ＩＳＰサーバ
７８  ＳＶＣ
１０１  Ｌ３−ＳＰＶＣ接続
１０２、１１２、２０２、２０４  マルチサービススイッチ
１０４、１１６、２０８  ＳＰＶＣエンドポイント
１０８、１２０  ＩＰインタフェース
１３０  管理ステーション
２１０、２１２、２１４  アプリケーション
【図１】
2004320783.tif 000003
【図２】
2004320783.tif 000004
【図３】
2004320783.tif 000005
【図４】
2004320783.tif 000006
【図５】
2004320783.tif 000007
【外国語明細書】
2004320783.tif 000008
2004320783.tif 000009
2004320783.tif 000010
2004320783.tif 000011
2004320783.tif 000012
2004320783.tif 000013
2004320783.tif 000014
2004320783.tif 000015
2004320783.tif 000016
2004320783.tif 000017
2004320783.tif 000018
2004320783.tif 000019
2004320783.tif 000020
2004320783.tif 000021
2004320783.tif 000022
2004320783.tif 000023
2004320783.tif 000024
2004320783.tif 000025
2004320783.tif 000026
2004320783.tif 000027